(57)【特許請求の範囲】
【請求項１】
構造物から突出させる先端側ロッドに延長ロッドを継ぎ足し、該先端側ロッドと延長ロッドとにネットを張設する落下防止ネットの施工方法であって、
先端側ロッド及び延長ロッドを支持するガイド部材を構造物に固定する工程と、ガイド部材に先端側ロッドを支持させる工程と、先端側ロッドに延長ロッドを連結する工程と、ガイド部材に延長ロッドを支持させながら先端側ロッド及び延長ロッドを前進させる工程と、先端側ロッド及び延長ロッドにネットを張設する工程とを含んでいることを特徴とする落下防止ネットの施工方法。
【請求項２】
先端側ロッドと延長ロッドとガイド部材は、それぞれ一対ずつ備えられていることを特徴とする請求項１に記載の落下防止ネットの施工方法。
【請求項３】
前記一対の先端側ロッドの先端に先端側バーを架け渡す工程と、ネットの先端縁を先端側バーに掛止する工程とを含んでいることを特徴とする請求項２に記載の落下防止ネットの施工方法。
【請求項４】
前記一対の延長ロッド間に基端側バーを架け渡す工程と、ネットの基端縁を基端側バーに掛止する工程とを含んでいることを特徴とする請求項２又は３に記載の落下防止ネットの施工方法。
【請求項５】
前記基端側バーを先端側ロッドから構造物側に引き寄せる工程を含んでいることを特徴とする請求項４に記載の落下防止ネットの施工方法。
【請求項６】
前記一対のガイド部材の間隔を調整するアジャスタを前記ガイド部材に取り付ける工程を含んでいることを特徴とする請求項２ないし５のいずれか一項に記載の落下防止ネットの施工方法。
【請求項７】
先端側ロッド及び延長ロッドを仮固定するための仮固定具を前記ガイド部材に取り付ける工程と、仮固定具によって先端側ロッド及び延長ロッドを仮固定する工程とを含んでいることを特徴とする請求項１ないし６のいずれか一項に記載の落下防止ネットの施工方法。
【発明の詳細な説明】
【技術分野】
【０００１】
本発明は、鉄塔や建築現場などの高所からの落下体を受け止めるための落下防止ネットを組み立てる落下防止ネットの施工方法に関する。
【背景技術】
【０００２】
鉄塔などに架設された電力線を定期点検するときや補修するとき、さらに、建築現場などで作業するときにおいては、工具や資材さらに作業者などの落下体が地上まで落下することなく、途中で受け止めるための落下防止ネットが使用されている。
【０００３】
鉄塔に取り付けられる落下防止ネットは、鉄塔から突出する一対のアームと、一対のアームに張設されたネットとを備えている（例えば特許文献１参照）。各アームは、鉄塔から水平方向に突出した姿勢と、鉄塔の支柱に沿う起立した姿勢とに姿勢転換できるように鉄塔の支柱に取り付けられている。このような落下防止ネットは、アームを長くすることで、ネットの張設領域を拡張することができる。
【先行技術文献】
【特許文献】
【０００４】
【特許文献１】登録実用新案第３１６４８５３号公報
【発明の概要】
【発明が解決しようとする課題】
【０００５】
しかし、従来の落下防止ネットは、周囲の環境の制約を受けることで、ネットの張設領域を十分に拡張することができない。例えば、上下方向に複数の腕金を張り出している鉄塔に取り付けられた落下防止ネットは、アームの長さが腕金と腕金との間隔以下に制約される。
【０００６】
また、腕金の間隔の制約を受けない最も下側の腕金よりも下方に落下防止ネットを取り付ける場合や建築現場で使用する場合においては、アームを長くすることで張設領域を拡張することができる。しかし、水平方向の姿勢と起立した姿勢とに姿勢転換するアームにあっては、起立した姿勢のアームより上側で作業されるため、その作業位置と水平方向の姿勢のアームとがかけ離れてしまう。そうすると、作業位置からの落下体が下方で張り出したネット上に落下しないこともある。
【０００７】
そこで、本発明は、構造物から張り出すネットの張設領域を制約なく拡張し、落下物を確実に受け止めることができるようにした落下防止ネットの施工方法を提供することを課題とする。
【課題を解決するための手段】
【０００８】
本発明に係る落下防止ネットの施工方法は、構造物から突出させる先端側ロッドに延長ロッドを継ぎ足し、該先端側ロッドと延長ロッドとにネットを張設する落下防止ネットの施工方法であって、先端側ロッド及び延長ロッドを支持するガイド部材を構造物に固定する工程と、ガイド部材に先端側ロッドを支持させる工程と、先端側ロッドに延長ロッドを連結する工程と、ガイド部材に延長ロッドを支持させながら先端側ロッド及び延長ロッドを前進させる工程と、先端側ロッド及び延長ロッドにネットを張設する工程とを含んでいることを特徴としている。
【０００９】
この落下防止ネットの施工方法は、ガイド部材、先端側ロッド、延長ロッド、ネットといった分解されたパーツを組み立てることで、落下防止ネットを完成させる。構造物に固定されたガイド部材によって先端側ロッドが支持され、先端側ロッドに延長ロッドが連結され、先端側ロッド及び延長ロッドが前進することで、延長ロッドがガイド部材に支持される。
【００１０】
そして、先端側ロッド及び延長ロッドにネットが張設される。このネットの張設領域は、延長ロッドが連結されていない先端側ロッドに張設されるときよりも拡張される。また、先端側ロッド及び延長ロッドは、長さ方向に前進するため、上下方向にある障害物の制約を受けず、任意の長さで延長し、構造物の任意の位置から突き出すことができる。
【００１１】
ここで、本発明に係る落下防止ネットの施工方法の一態様として、先端側ロッドと延長ロッドとガイド部材は、それぞれ一対ずつ備えられている構成を採用することができる。
【００１２】
この落下防止ネットの施工方法によれば、一対のガイド部材が一対の先端側ロッドと一対の延長ロッドとを支持する。この一対の先端側ロッド及び一対の延長ロッド間にネットの展開領域が設けられる。
【００１３】
この場合、前記一対の先端側ロッドの先端に先端側バーを架け渡す工程と、ネットの先端縁を先端側バーに掛止する工程とを含んでいる構成を採用することができる。
【００１４】
この落下防止ネットの施工方法によれば、先端側ロッドの先端に先端側バーが架け渡され、この先端側バーにネットの先端縁を掛止することで、ネットの先端縁が先端側ロッドの先端側で垂れないようにすることができる。
【００１５】
また、本発明に係る落下防止ネットの他態様として、前記一対の延長ロッド間に基端側バーを架け渡す工程と、ネットの基端縁を基端側バーに掛止する工程とを含んでいる構成を採用することができる。
【００１６】
この落下防止ネットの施工方法によれば、一対の延長ロッド間に基端側バーが架け渡され、この基端側バーにネットの基端縁を掛止することで、ネットの基端縁が垂れないようにすることができる。
【００１７】
この場合、前記基端側バーを先端側ロッドから構造物側に引き寄せる工程を含んでいる構成を採用してもよい。基端側バーが構造物側に引き寄せられることにより、先端側バーと基端側バーとの間隔が広がり、先端側バーと基端側バーとに架け渡された状態のネットにテンションを掛けることができる。
【００１８】
また、本発明に係る落下防止ネットのさらに異なる他態様として、前記一対のガイド部材の間隔を調整するアジャスタを前記ガイド部材に取り付ける工程を含んでいる構成を採用することができる。
【００１９】
この落下防止ネットの施工方法によれば、アジャスタによって一対のガイド部材の間隔を調整することができるため、ガイド部材の固定位置が制限されていても、アジャスタによって一対のガイド部材の間隔をネットの幅に一致させることができる。なお、一対の先端側ロッドの先端に先端側バーを架け渡す場合は、その先端側バーの長さに対応して一対のガイド部材の間隔を変更することができる。
【００２０】
また、本発明に係る落下防止ネットのさらに異なる他態様として、先端側ロッド及び延長ロッドを仮固定するための仮固定具を前記ガイド部材に取り付ける工程と、仮固定具によって先端側ロッド及び延長ロッドを仮固定する工程とを含んでいる構成を採用することができる。
【００２１】
この落下防止ネットの施工方法によれば、先端側ロッド及び延長ロッドが仮固定具によって仮固定され、前進できなくすることで、先端側ロッドに延長ロッドを連結しやすく、また、延長ロッドと延長ロッドとを連結しやすることができる。
【発明の効果】
【００２２】
本発明によれば、構造物から張り出すネットの張設領域を制約なく拡張し、落下物を確実に受け止めることができるようにした落下防止ネットの施工方法を提供することができる。
【図面の簡単な説明】
【００２３】
【図１】図１は、本発明に係る落下防止ネットの施工方法の一実施形態であって、第１の工程を示す概略平面図である。
【図２】図２は、本発明に係る落下防止ネットの施工方法の一実施形態であって、第２の工程を示す概略平面図である。
【図３】図３は、本発明に係る落下防止ネットの施工方法の一実施形態であって、第３の工程を示す概略平面図である。
【図４】図４は、本発明に係る落下防止ネットの施工方法の一実施形態であって、第４の工程を示す概略平面図である。
【図５】図５は、本発明に係る落下防止ネットの施工方法の一実施形態であって、第５の工程を示す概略平面図である。
【図６】図６は、本発明に係る落下防止ネットの施工方法の一実施形態であって、第６の工程を示す概略平面図である。
【図７】図７は、本発明に係る落下防止ネットの施工方法の一実施形態であって、第７の工程を示す概略平面図である。
【図８】図８は、本発明に係る落下防止ネットの施工方法の一実施形態であって、第８の工程を示す概略平面図である。
【図９】図９は、本発明に係る落下防止ネットの施工方法の一実施形態であって、第９の工程を示す概略平面図である。
【図１０】図１０は、本発明に係る落下防止ネットの施工方法の一実施形態であって、図１０（ａ）は先端側ロッドを示す図１０（ｂ）のＸ−Ｘの断面図、図１０（ｂ）は先端側ロッドを示す平面図、図１０（ｃ）は延長ロッドを示す平面図である。
【図１１】図１１は、本発明に係る落下防止ネットの施工方法の一実施形態であって、図１１（ａ）は先端側ロッドと延長ロッドの連結状態を示す図１１（ｂ）のＸＩ−ＸＩの断面図、図１１（ｂ）は先端側ロッドと延長ロッドの連結状態を示す平面図である。
【図１２】図１２は、本発明に係る落下防止ネットの施工方法の一実施形態であって、係止ピンを示す一部断面正面図である。
【図１３】図１３は、本発明に係る落下防止ネットの施工方法の一実施形態であって、図１３（ａ）は先端側ロッドがガイド部材に支持されている状態を示す図１３（ｂ）のＸＩＩＩ−ＸＩＩＩの断面図、図１３（ｂ）は先端側ロッドがガイド部材に支持されている状態を示す平面図である。
【発明を実施するための形態】
【００２４】
本発明に落下防止ネットの施工方法の一実施形態について図１ないし図１３を参照しながら説明する。本発明に係る落下防止ネットの施工方法は、鉄塔１００や建築現場などの高所作業において、工具や資材さらに作業者などの落下体が地上まで落下することなく、途中で受け止めるための落下防止ネットを取り付ける方法である。この実施形態では、一例として、落下防止ネットを鉄塔１００の上層に組み立てる場合について説明する。
【００２５】
鉄塔１００は、間隔をあけて立設された４本の支柱１０１，１０１，…と、隣り合った支柱１０１，１０１に架け渡された水平材１１１，１１２，１１３，１１４とを有する骨組構造によって構成されている。４本の水平材１１１，１１２，１１３，１１４は、平面視で四角形枠状とされ、各交点が支柱１０１，１０１に固定された構造物である。
【００２６】
この鉄塔１００に落下防止ネットを組み立てる方法を説明する前に、落下防止ネットの構成について説明する。落下防止ネットは、図９に示すように、先端側ロッド１１と延長ロッド２１とネット３０を備えている。
【００２７】
延長ロッド１１は、例えば平行に対向する一対備えられる。この先端側ロッド１１，１１と、この先端側ロッド１１の先端に架け渡された先端側バー１２とによってコ字形のフレーム１０が形成される。一対の先端側ロッド１１，１１と先端側バー１２とは、分解された状態で鉄塔１００の上層まで携行される。
【００２８】
先端側ロッド１１と先端側バー１２が別々に、すなわち、コンパクトなパーツとして鉄塔１００の上層まで携行されることで、携行する作業者の負担が軽減されるだけでなく、鉄塔１００の下側の腕金（図示せず）よりもさらに上側まで携行したときに、腕金に架設された電線にパーツが接触しないようにすることができる。したがって、この落下防止ネットの施工方法では、鉄塔１００に仮設された電線が通電した状態でも作業することができる。
【００２９】
そして、先端側ロッド１１は、図１０（ａ）（ｂ）に示すように、変形角筒状に形成され、基端部の両側面部１１ａ，１１ｂに係止孔１１ｅを設けている。なお、係止孔１１ｅは、天面部１１ｃと底面部１１ｄとに設けられてもよい。
【００３０】
そして、延長ロッド２１は、図１０（ｃ）に示すように、変形角筒状の先端側ロッド１１内に挿入される変形角柱状に形成されている。延長ロッド２１の先端部２１ａ，２１ａは、二股状に形成され、先端側ロッド１１の係止孔１１ｅに係脱する係止ピン２３を備えている。延長ロッド２１は、二股とされた先端部２１ａ，２１ａのみ先端側ロッド１１内に挿入される。
【００３１】
この先端側ロッド１１内に挿入された延長ロッド２１の係止ピン２３の先端部が先端側ロッド１１の側面部１１ａ，１１ｂから突出しすぎないようにするためにも、図１０（ａ）に示すように、側面部１１ａ，１１ｂには、長さ方向の溝部が形成されている。なお、天面部１１ｃと底面部１１ｄとにも長さ方向の溝部が形成されている。
【００３２】
係止ピン２３は、図１２に示すように、筒状部材２３ａ内に半分程度挿入される。筒状部材２３ａ内の底側には、圧縮バネのような付勢部材２３ｂが入れられている。付勢部材２３ｂによって係止ピン２３の先端側が筒状部材２３ａから突出する方向に付勢されている。また、係止ピン２３は、係合部（採番せず）によって筒状部材２３ａから抜け出ないように構成されている。
【００３３】
ここで、落下防止ネットを鉄塔１００に組み立てる方法について説明する。図１に示すように、まず、先端側ロッド１１（図２参照）を支持するガイド部材（以下、「第１ガイド部材」という。）４０と、延長ロッド２１（図２参照）を支持するガイド部材（以下、「第２ガイド部材」という。）５０とを１本の水平材１１２に並べて固定する。この水平材１１２に対向している水平材１１４にも第１ガイド部材４０と第２ガイド部材５０とを固定する。
【００３４】
第１ガイド部材４０も第２ガイド部材５０も、隣り合った水平材１１１〜１１４に例えばＶ字ボルト（図示せず）によって固定される基部４１，５１と、この基部４１，５１と平行に配置されるガイド本体４２，５２とを備えている。基部４１，５１とガイド本体４２，５２は、アジャスタ４３，５３によって連結され、両者の間隔を変更できるようにされている。
【００３５】
したがって、一方の水平材１１２に固定された第１ガイド部材４０及び第２ガイド部材５０の各ガイド本体４２，５２と、他方の水平材１１４に固定された第１ガイド部材４０及び第２ガイド部材５０の各ガイド本体４２，５２との間隔は、アジャスタ４３，５３によって変更可能とされている。
【００３６】
詳しく説明すると、基部４１，５１は、水平材１１２，１１４に添わされる縦片（図示せず）と、縦片から直角方向に突出する横片４１ａ，５１ａとを有するＬ形アングルが使用される。横片４１ａ，５１ａからは、上向きにボルト４１ｂ，５１ｂが突出している。アジャスタ４３，５３は、長穴４３ａ，５３ａを形成した板状に形成されている。
【００３７】
基部４１，５１の横片４１ａ，５１ａから突出したボルト４１ｂ，５１ｂがアジャスタ４３，５３の長穴４３ａ，５３ａを貫通した状態で、アジャスタ４３，５３が基部４１，５１の横片４１ａ，５１ａ上を交差方向にスライドする。また、ボルト４１ｂ，５１ｂにナット（図示せず）が締結されることで、アジャスタ４３，５３が基部４１，５１に固定される。
【００３８】
そして、ガイド本体４２，５２は、水平姿勢とされ、図１３（ａ）に示すように、先端側ロッド１１及び延長ロッド２１を挿通する変形角筒状とされている。ガイド本体４２，５２の内面には、ベアリング４２ａ，５２ａが取り付けられている。ベアリング４２ａ，５２ａは、係止ピン２３の通過の障害にならない位置に取り付けられる。ただし、ベアリング４２ａ，５２ａは、必ずしも取り付けられなくてもよい。
【００３９】
図１に戻り、このような第１ガイド部材４０のガイド本体４２の後端側（第２ガイド部材５０に連続する側）に、先端側ロッド１１及び延長ロッド２１を仮固定する仮固定具４４を取り付ける。仮固定具４４は、ネジ孔（図示せず）を形成した筒体４４ａと、ネジ孔に螺合するボルト４４ｂとを備えている。
【００４０】
筒体４４ａは、第１ガイド部材４０のガイド本体４２及び第２ガイド部材５０のガイド本体５２と同様の断面形状とされる。そして、ボルト４４ｂがネジ孔に螺合し、ボルト４４ｂの先端部が筒体４４ａ内に進入することで、筒体４４ａ内に挿入されている先端側ロッド１１及び延長ロッド２１が前進しないように仮固定する。この仮固定具４４を挟んで、第１ガイド部材４０のガイド本体４２と第２ガイド部材５０のガイド本体５２とが連通する。
【００４１】
次に、図２の左側に示すように、先端側ロッド１１を第１ガイド部材４０のガイド本体４２内に挿入することで、先端側ロッド１１が第１ガイド部材４０によって支持されるようにする。詳しく説明すると、先端側ロッド１１を第２ガイド部材５０のガイド本体５２側から第１ガイド部材４０のガイド本体４２内に挿入する。連通した第１ガイド部材４０のガイド本体４２と第２ガイド部材５０のガイド本体５２の長さよりも先端側ロッド１１のほうが短いため、図２の右側に示すように、両ガイド本体４２，５２内に挿入された先端側ロッド１１を延長ロッド２１によって前進させる。
【００４２】
ただし、先端側ロッド１１は、第１ガイド部材４０のガイド本体４２よりも長くされている。したがって、先端側ロッド１１の先端部は、第１ガイド部材４０のガイド本体４２よりも突出し、先端側ロッド１１の基端部は、仮固定具４４の筒体４４ａ内に位置する状態とされる。そして、仮固定具４４によって、第１ガイド部材４０が前進しないように仮固定する。
【００４３】
そして、アジャスタ４３，５３によって、一対の第１ガイド部材４０，４０のガイド本体４２，４２の間隔と一対の第２ガイド部材５０，５０のガイド本体５２，５２の間隔を調整する。すなわち、先端側ロッド１１の間隔を先端側バー１２（図６参照）の長さに一致させる。
【００４４】
次に、図３に示すように、第２ガイド部材５０のガイド本体５２内に挿入された延長ロッド２１を先端側ロッド１１と連結する。延長ロッド２１の先端が先端側ロッド１１の基端部に突き当たっても、先端側ロッド１１は、仮固定具４４によって仮固定されているため前進しない。したがって、先端側ロッド１１の基端部と延長ロッド２１の先端部は、図１１に示すように、係止孔１１ｅに係止ピン２３が係入することで連結される。
【００４５】
次に、図４に示すように、第１ガイド部材４０のガイド本体４２から突出している一対の先端側ロッド１１，１１の先端部にネット３０の各側縁を掛止する。ネット３０の各側縁は、リング状に形成され、先端側ロッド１１を前後方向に移動できるようにされている。ネット３０は、取付後に展開できる長さを有し、この状態のネット３０には、前後方向の襞が形成されている。また、ネット３０が一対の先端側ロッド１１の先端部から脱落しないように、第１ロープ６１によってネット３０を束ねている。
【００４６】
次に、図５に示すように、一対の先端側ロッド１１の先端に先端側バー１２を架け渡す。先端側バー１２は、例えば三分割されている。この場合において、両側の先端側バー１２ａ，１２ｂを先端側ロッド１１の先端に取り付け、その後、中間の先端側バー１２ｃを両側の先端側バー１２ａ，１２ｂの間に取り付ける。この中間の先端側バー１２ｃには、ネット３０を束ねている第１ロープ６１が巻かれる。こうすることで、中間の先端側バー１２ｃを取り付け作業中において落下させないようにすることができる。なお、先端側バー１２は、三分割されず、二分割されていてもよいし、分割されていなくてもよい。
【００４７】
次に、図６に示すように、ネット３０の先端縁を先端側バー１２に全長に亘って掛止する。ネット３０の先端縁は、先端側バー１２に掛止されることで、垂れないようになる。次に、図７に示すように第１ロープ６１を外し、ネット３０の基端縁に第２ロープ６２の一端部を取り付ける。第２ロープ６２の他端部は、水平材１１１に係止し、垂れ下がらないようにする。
【００４８】
次に、図８に示すように、新たな延長ロッド２１を先の延長ロッド２１に押し付けることで、先端側ロッド１１及び延長ロッド２１を前進させる。先端側ロッド１１及び延長ロッド２１は、第１ガイド部材４０のガイド本体４２内のベアリング４２ａ，５２ａによってスムーズに前進する。また、先端側ロッド１１の前進に伴って、ネット３０は先端側バー１２に寄っている、すなわち、水平材１１１から離間している。
【００４９】
そして、必要に応じて、新たな延長ロッド２１を先の延長ロッド２１に連結する。新たな延長ロッド２１は、先の延長ロッド２１を先端側ロッド１１に連結したときと同様に連結される。先端側ロッド１１及び延長ロッド２１が必要な長さをもって前進すると、仮固定具４４によって、延長ロッド２１を仮固定する。
【００５０】
次に、図９に示すように、第２ロープ６２を水平材１１１の方に引寄せることで、ネット３０を展開する。そして、一対の延長ロッド２１，２１に基端側バー２２を架け渡し、この基端側バー２２にネット３０の基端縁を掛止する。一対の延長ロッド２１，２１と基端側バー２２とによって基端側フレーム２０が構成される。そして、基端側バー２２と第１ガイド部材４０の基部４１とにターンバックルのような引寄せ部材６３を架け渡す。この引寄せ部材６３によって、基端側バー２２を水平材の方に引き寄せ、ネット３０にテンションを掛けた状態とする。
【００５１】
そして、必要に応じて、先端側フレーム１０を索条体８０によって支持する。すなわち、索条体８０の一端を先端側フレーム１０の先端側ロッド１１の先端に取り付け、索条体８０の他端側を鉄塔１００の支柱に取り付ける（図９においては、索条体８０が先端側ロッド１１及び延長ロッド２１と角度を有するように描かれているが、索条体８０は水平材よりも上側の支柱１０１，１０１の方に延ばされる。）。
【００５２】
以上のように、各パーツに分割された延長ロッド２１や先端側バー１２などを組み付けることで、落下防止ネットが完成する。この落下防止ネットは、必要な長さをもって水平材から展開し、また、テンションが掛けられているため、作業者が工具や資材などを落としたとしても、あるいは、作業者が落下しても、その落下体は、ネット３０上で受け止められ、地上に落下しないようにすることができる。
【００５３】
ネット３０を鉄塔１００から外すときは、上記と逆の操作をする。すなわち、基端側バー２２を一対の延長ロッド２１，２１から外し、延長ロッド２１及び先端側ロッド１１を後退させることで、先端側フレーム１０を構造物１１１に近づける。そして、先端側ロッド１１の係止孔１１ｅから突出している係止ピン２３の先端部を押さえることで、先端側ロッド１１と延長ロッド２１とを分離する。したがって、小さく分解されたパーツを鉄塔１００の腕金などに当たらないようにして鉄塔１００の上層から地上まで携行することができる。
【００５４】
なお、本発明は、上記実施形態に限定することなく、種々変更することができる。例えば、上記実施形態では、ネット３０を先端側ロッド１１の前進とともに前進させた。しかし、ネット３０の基端側水平材１１１側から移動しないようにすることで、先端側ロッド１１を前進させると同時にネット３０を展開することもできる。
【００５５】
また、上記実施形態では、先端側ロッド１１を第１ガイド部材４０のガイド本体４２に支持した後、一対の先端側ロッド１１，１１の間隔を調整した。しかし、一対の第１のガイド部材４０及び第２のガイド部材５０の各ガイド本体４２，５２の間隔を調整した後、第１ガイド部材４０のガイド本体４２が先端側ロッド１１に支持するようにしてもよい。
【００５６】
また、上記実施形態では、ネット３０の先端縁を先端側バー１２に掛止した。しかし、ネット３０にテンションを掛ける必要がない場合にあっては、ネット３０の先端縁の両端を先端側ロッド１１，１１の先端部に固定することで、先端側フレーム１０は、先端側バー１２を備えないものとしてもよい。
【００５７】
また、上記実施形態では、ネット３０の基端縁を基端側バー２２に掛止して、引寄せ部材６３によって、基端側バー２２を水平材１１１側に引き寄せることで、ネット３０にテンションを掛けた。しかし、ネット３０にテンションを掛ける必要がない場合にあっては、基端側バー２２及び引寄せ部材６３を組み立てなくてもよい。
【００５８】
また、上記実施形態では、第１ガイド部材４０と第２ガイド部材５０とを別体とした。しかし、ガイド部材は、第１ガイド部材４０と第２ガイド部材５０を一体化したものとしてもよい。
【００５９】
また、上記実施形態では、一例として、鉄塔１００に落下防止ネットを組み立てる場合について説明した。しかし、落下防止ネットは、ビルの建築現場などでも組み立てることも可能で、現場でガイド部材４０，５０を任意の位置に固定することができる場合は、アジャスタ４３，５３を第１ガイド部材４０、第２ガイド部材５０に取り付けず、ガイド本体４２，５２を基部４１，５１に固定したものとしてもよい。
【００６０】
さらに、上記実施形態では、先端側フレーム１０は、一対の先端側ロッド１１，１１に先端側バー１２を架け渡して形成し、基端側フレーム２０は、一対の延長ロッド２１，２１に基端側バー２２を架け渡して形成した。しかし、先端側フレーム１０は、１本の先端側ロッド１１と、この先端側ロッド１１に直交する先端側バー１２とによってＴ字状やＬ字状に形成したものとしてもよい。同様に、基端側フレーム２０は、１本の延長ロッド２１と、この延長ロッド２１に直交する基端側バー２２とによってＴ字状やＬ字状に形成したものとしてもよい。この場合、ネット３０は、先端側バー１２と基端側バー２２とに張設される。
【符号の説明】
【００６１】
１１…………先端側ロッド
１２…………先端側バー
２１…………延長ロッド
２２…………基端側バー
３０…………ネット
４０…………ガイド部材（第１ガイド部材）
５０…………ガイド部材（第２ガイド部材）
１１１，１１２，１１３，１１４…………構造物（水平材）
【図１】
0005905505.tif 000002
【図２】
0005905505.tif 000003
【図３】
0005905505.tif 000004
【図４】
0005905505.tif 000005
【図５】
0005905505.tif 000006
【図６】
0005905505.tif 000007
【図７】
0005905505.tif 000008
【図８】
0005905505.tif 000009
【図９】
0005905505.tif 000010
【図１０】
0005905505.tif 000011
【図１１】
0005905505.tif 000012
【図１２】
0005905505.tif 000013
【図１３】
0005905505.tif 000014